(57)【要約】  発明は、子供安全ゲートに関し、子供安全ゲートは、ゲートが開かれた場合にとられるスペースを最小限とする。子供安全ゲートは、少なくとも１つのヒンジ（５）によって相互接続される２つ以上のパネル（１，２，３，４）を含む。パネルは、一方側において端パネル（３）に接続される少なくとも１つの結合具（１０）を介して開口部に取り付けられる。少なくとも１つの閉止装置（１２，１３）は、他方側において端パネル（４）に接続される。ヒンジ（５）は、パネル（１，２，３，４）に接続され得て、パネルは、ゲートが開かれた場合に互いに内方向に折り畳まれ得る。パネル上部（８）および／または パネル底部（９）は、パネルに接続され得る。パネル（１，２，３，４）は、伸縮し得る２つのパネル部品を含み得る。延長パネルは、パネル部品の間に配置され得る。
2015504120.tif 000002
【特許請求の範囲】
【請求項１】
ドア開口部または階段開口部などの開口部に取り付けることが意図される子供安全ゲートであって、互いに接続され得る２つ以上のパネルと、前記開口部の一方側に取り付けることが意図される取付具と、前記開口部の反対側に取り付けることが意図される閉止装置とを備え、前記パネルのうち少なくとも１つは前記取付具における第１の回転軸を中心に回転することができ、前記パネルのうち少なくとも２つは、他方のパネルに配置される受け部品と係合することが意図される一方のパネルに掴み部品を介して互いに接続され得て、前記パネルのうち少なくとも１つは、２つのパネル部品を含み、前記掴み部品は一方のパネル部品上に配置され、前記受け部品は前記他方のパネル部品上に配置される、子供安全ゲート。 
【請求項２】
前記一方のパネル部品は他方のパネルにおける他のパネル部品に対してヒンジ（５）を介して接続される、請求項１に記載の子供安全ゲート。
【請求項３】
掴み部品および受け部品は、パネルの縁部の全体に沿って延在する１つ以上のヒンジによって形成される、請求項１に記載の子供安全ゲート。 
【請求項４】
子供安全ゲートは、前記取付具に接続され得る第１の端パネルと、前記閉止装置に接続され得る第２の端パネルとをさらに備え、前記少なくとも１つのパネル部品は、前記取付具または前記閉止装置に面し得る終縁部を含む端パネルである、請求項１から３のいずれか１項に記載の子供安全ゲート。
【請求項５】
子供安全ゲートは、１つ以上の延長パネルをさらに備え、前記掴み部品および前記受け部品は、前記パネル部品および／または前記端パネルの間に前記延長パネルが配置され得るようにそれぞれの縁部に配置される、請求項１から４のいずれか１項に記載の子供安全ゲート。
【請求項６】
前記掴み部品および前記受け部品は、前記パネルおよび１つ以上の延長パネルが互いに挿入され得ることによって、前記掴み部品および前記受け部品が前記パネルの長手方向に互いに挿入され得るように構成される、請求項１から５のいずれか１項に記載の子供安全ゲート。
【請求項７】
前記子供安全ゲートは、取付具と接続され得る第１の端パネルと、閉止装置と接続され得る第２の端パネルとをさらに備え、互いに接続され得る複数の延長パネルが端パネルの間に配置され得る、請求項５に記載の子供安全ゲート。 
【請求項８】
前記パネルの少なくとも１つは、パネル上部および／またはパネル底部を含む、またはパネル上部および／またはパネル底部に接続され得る、請求項１から７のいずれか１項に記載の子供安全ゲート。 
【請求項９】
前記パネル上部および／または前記パネル底部は、他のパネル上部および／または前記パネル底部に配置される受け部品に係合することが意図される挿入部品を含む、請求項８に記載の子供安全ゲート。 
【請求項１０】
前記挿入部品は、前記パネル部品または前記パネルの延長上に配置され得て、前記受け部品は、前記挿入部品の側部に配置され得て、前記挿入部品は、前記パネル部品または前記パネルの外方に面し得て、その一方で前記受け部品の前記開口部は前記パネル部品または前記パネルに面し得る、請求項９に記載の子供安全ゲート。 
【請求項１１】
前記挿入部品は、前記受け部品と係合することが可能な係止装置を含み、前記係止装置は解除機構を含む、請求項９または１０に記載の子供安全ゲート。
【請求項１２】
前記ヒンジは可撓性ヒンジであり、たとえば可撓性形状または膜であり、前記パネル部品および／または前記パネルにおいて押出し加工される、または組み込まれる、請求項１から１１のいずれか１項に記載の子供安全ゲート。 
【請求項１３】
前記パネル部品およびこれらの間に配置される前記ヒンジは、一体的に押出し加工または型成形される、または前記パネルのうち少なくとも２つおよびこれらの間に配置される前記ヒンジは、一体的に押出し加工または型成形される、請求項１２に記載の子供安全ゲート。 
【請求項１４】
前記ヒンジは、可撓性ヒンジ、たとえば可撓性形状または膜であって、２つの厚い端部を含み、前記パネル部品および／または前記パネルは、前記ヒンジの前記厚い端部が配置され得る溝または割れ目を含む、請求項１から１１のいずれか１項に記載の子供安全ゲート。
【請求項１５】
前記ヒンジは、前記ヒンジにおける第２の回転軸を中心に回転することが可能な２つのヒンジ部品を含む回転ヒンジであって、前記ヒンジは、たとえばトーションばねであるばねを含む、請求項１から１４のいずれか１項に記載の子供安全ゲート。
【請求項１６】
回転ヒンジは前記パネル上部の間および／または前記パネル底部の間に配置され、可撓性ヒンジ（１５）が前記パネルの間および／または前記パネル部品の間に配置され得る、請求項１２から１４のいずれか１項に記載の子供安全ゲート。
【請求項１７】
前記掴み部品は、任意でヘッドまたは窪み部を有するピンとして構成され、前記受け部品は前記ピンが配置され得る第２の溝または窪み部として構成される、請求項１から１６のいずれか１項に記載の子供安全ゲート。
【請求項１８】
前記掴み部品はピンとして構成され、前記受け部品は前記ピンが配置され得るピン穴として構成され、前記ピンおよび前記ピン穴は、前記パネル部品の内側において互いに対向して配置される、請求項１から１７のいずれか１項に記載の子供安全ゲート。
【請求項１９】
前記取付具は、前記開口部に取り付けることが意図される壁部品と、前記第１の端パネルに接続されるパネル部品とを含み、前記パネル部品は前記壁部品を中心に回転することができる、請求項１から１８のいずれか１項に記載の子供安全ゲート。
【請求項２０】
前記壁部品は、２つの第１の端部材と接続される第１の中央部材を含み、前記第１の中央部材は、前記パネル部品が配置され得る第３の溝、たとえば筒部を含む、請求項１９に記載の子供安全ゲート。
【請求項２１】
前記パネル部品は、２つの第２の端部材に接続される第２の中央部材を含み、前記第２の中央部材および前記２つの第２の端部材は筒状である、請求項２０に記載の子供安全ゲート。
【請求項２２】
前記第２の中央部材は、前記壁部品の外方に面する２つの平行な側部を含み、前記２つの第２の端部材の各々は、前記第２の中央部材上において２つの平行な側部の延長上に配置されるＵ字形状の側部を含み、これらの間に前記第１の端パネルが配置され得る、請求項２１に記載の子供安全ゲート。 
【請求項２３】
前記第１の端パネルは、ガイド配置を含む前記パネル上部および／または前記パネル底部と接続され得て、これによって前記第１の端パネルは前記パネル部品の内外に移動し得て、前記２つの第２の端部材は、前記ガイド配置を所定位置に保持することが可能な係止機構を含む、請求項２２に記載の子供安全ゲート。
【請求項２４】
前記閉止装置は、前記子供安全ゲートが閉じられた場合に前記第２の端パネルを壁部品に保持することが意図される安全機構または係止装置を含み、前記安全機構または前記係止装置は、前記子供安全ゲートを開くために動作させなければならない解除装置を含む、請求項１から２３のいずれか１項に記載の子供安全ゲート。 
【請求項２５】
前記閉止装置は、前記子供安全ゲートが閉じられた場合に前記第２の端パネルが配置され得る長形の窪み部を有するハウジングを含む、請求項２４に記載の子供安全ゲート。
【発明の詳細な説明】
【技術分野】
【０００１】
本発明は、ドア開口部または階段開口部などの開口部に取り付けることが意図される子供安全ゲートに関し、子供安全ゲートは、互いに接続され得る２つ以上のパネルと、開口部の一方側に取り付けることが意図される取付具と、開口部の反対側に取り付けることが意図される閉止装置とを含み、パネルのうち少なくとも１つが取付具における第１の回転軸を中心に回転可能である。
【背景技術】
【０００２】
先行技術
今日、子供安全ゲートは、上方部材と下方部材とを含み、これらの部材の間に複数の垂直棒が取り付けられる、堅固なゲートドアとして構成されるのが好ましい。これらのゲートドアは、壁もしくは開口部のフレーム、または１つもしくは２つの固定されたゲートの間に直接取り付けられる。多くの場合、これらの子供安全ゲートは、壁に直接的取り付けられる柱、または底部の横断部材を有する。
【０００３】
米国特許第５３６７８２９号Ａは、開口部に取り付けられる子供安全ゲートを開示しており、子供安全ゲートは、互いに相対的に変位し得る２つのゲート部を含み、ゲートが開かれる際にゲートは一方側でヒンジを中心に回転することができる。米国特許第５６５７８０９号Ａは、開口部に取り付けられる子供安全ゲートを開示しており、子供安全ゲートは、管形状のフレームを有するドアを含み、ゲートが使用されない場合にはフレームが折り畳まれ得る。ゲートが使用される場合、フレームが伸ばされて堅く係止され、これによってゲートが従来の堅固なゲートとして機能する。
【０００４】
しかしながら、既知のシステムには、適切に開くことができるようにするために開口部の周りに大きなスペースをとるという欠点がある。このため、これらのシステムは、狭い開口部の周り、または最小限のスペースを有する開口部の周りにおいては有用ではない。また、既知の子供安全ゲートでは、開口部に取り付けられ得るすそ板やベースシューなどが見込まれていない。
【０００５】
国際特許出願公開第９４／００６６４号Ａ１は、開口部に取り付けられる子供安全ゲートを開示しており、子供安全ゲートは、ローラブラインドとして構成されるドアを含み、ドアの一方端が２つの壁結合具に対して固定され、他方端が開口部を越えて引っ張られて２つのリング形状のフックに固定される。しかしながら、この構造には、ドアが開かれた後にユーザがドアを放した場合に、ばね力によるドアの巻き込みが抑制されない状態で反対側の端部において起こるという欠点がある。これにより、子供および／またはペットに対して潜在的に危険な状況が伴い得る。
【０００６】
米国特許出願公開第２００９／００４４４５０号Ａ１は、柱ハウジングに配置される子供安全ゲートが開示されており、ゲートは複数のパネルを含み、複数のパネルは、複数のヒンジを介してパネル間に相互に配置される。実施形態において、子供安全ゲートは、パネルの上部にわたって置かれ得る係止棒を含み、これによってパネルが堅固なゲートを形成する。パネルが柱ハウジング内に隠されることから、柱ハウジングは開口部において大きなスペースをとり、これによって子供安全ゲートは、手すり柱が正常に配置される階段開口部のみに適したものとなる。また、パネルは係止棒が使用されていない場合は外部からの強打および衝撃に弱い。さらに、パネルは互いに点のみで接続されることから、係止棒が使用されていない場合は子供および／またはペットの指／足がパネル間に挟まり得る。
【発明の概要】
【発明が解決しようとする課題】
【０００７】
この発明は、ゲートが開かれた際にとられるスペースを最小限とする代替的な子供安全ゲートを提供する。
【課題を解決するための手段】
【０００８】
発明の目的
本発明は、少なくとも２つのパネルが、他方のパネルに配置される１つ以上の受け部品と係合することが意図される一方のパネルに配置される１つ以上の掴み部品を介して、またはパネルの端部全体に沿って延在する１つ以上のヒンジを介して互いに接続され得る子供安全ゲートを提供することにより、最も近い先行技術の問題を改善する。これにより、すそ板およびベースシューなどに関係なく開口部またはその付近に取り付けられ得る子供安全ゲートが提供される。これによって、一方でゲートが開いた際にとられるスペースを最小限とし、一方で組み立てを容易かつ迅速にする子供安全ゲートを提供することが可能となる。
【０００９】
パネルのうち少なくとも１つは２つのパネル部品を含み、掴み部品が一方のパネル部品に配置され、受け部品が他方のパネル部品に配置される。１つのパネルにおける１つのパネル部品は、他のパネルにおける他のパネル部品とヒンジを介して接続され得る。特別な実施形態において、子供安全ゲートは、結合具と接続され得る第１の端パネルと、閉止装置と接続され得る第２の端パネルとを含み、少なくとも１つのパネル部品は結合具または閉止装置に面し得る終縁部を含む端パネルである。これによって、個々のパネルを押すことによって容易かつ迅速な方法で個々のパネルを組み立てることができ、個々のパネルは互いに内方向に折り畳まれ得る。
【００１０】
パネルのうち少なくとも１つを形成する２つのパネル部品は、堅固な接合部によって接合され得て、原則的にプレートとして機能する。代替的な実施形態において、２つのパネル部品は、互いに相対的に移動し得るようにヒンジによって接合され得る。パネル部品が堅固な接合部で接合される場合またはヒンジで接合される場合の両方においては、２つのパネル部品が互いに分離され、その後に再び合わせられ得る実施形態がある。
【００１１】
子供安全ゲートは、１つ以上の延長パネルを含み、掴み部品および受け部品は、延長パネルがパネル部品および／または端パネルの間に配置され得るように、それぞれの縁部に配置される。実施形態において、掴み部品および受け部品は、掴み部品および受け部品がパネルの長手方向において互いに挿入されることでパネルおよび延長パネルが互いに挿入されるように構成される。これにより、パネルと延長パネルとを互いに接合する簡易な方法が提供され、いくつかの延長パネルが２つのパネルの間で接合および挿入され得る、またはいくつかの延長パネルがいくつかのパネルの間に挿入され得ることで、たとえば交互に接合されるパネルおよび延長パネルの列がもたらされる。この方法によって、子供安全ゲートの長さは、たとえばドア開口部に対して容易に適合され得る。
【００１２】
特別な実施形態において、子供安全ゲートは、結合具と接続され得る第１の端パネルと、閉止装置に接続され得る第２の端パネルとを含み、互いに接続され得る複数の延長パネルが端パネルの間に配置され得る。これによって、１つ以上の延長パネルを導入することにより、１つ以上のパネルおよび子供安全ゲートの全体の幅を適合させることができる。また、１つの完全かつ堅固な子供安全ゲートを形成するようにパネルを接合することができる。
【００１３】
パネルのうち少なくとも１つは、パネル上部および／またはパネル底部を含む、またはパネル上部および／またはパネル底部と接続される。これによって、パネルの端部を外部からの強打および衝撃に対して保護および補強することができる。
【００１４】
特別な実施形態において、パネル上部および／またはパネル底部は、他のパネル上部および／またはパネル底部に配置される受け部品に係合することが意図される挿入部品を含む。 
【００１５】
挿入部品は、パネル部品もしくはパネルおよび受け部品の延長上で挿入部品の側に配置され得て、挿入部品は、パネル部品またはパネルの外方に面し、受け部品の開口部はパネル部品またはパネルに面し得る。挿入部品は、受け部品と係合し得る係止装置を含み、係止装置は解除機構を含む。これによって、パネル底部およびパネル上部は、パネル部品が接合された場合に１つの完全なユニットとなる。また、１つ以上の延長パネルが挿入された場合にパネル上部およびパネル底部の幅をパネルの幅に適合させることができる。同様に、子供安全ゲートが使用されている場合にパネルを互いに固定することができる。
【００１６】
実施形態において、ヒンジは、たとえば可撓性形状もしくは膜などの可撓性ヒンジであり、パネル部品および／またはパネルに押し出し成形される、または組み込まれる。パネル部品およびこれらの間に配置されるヒンジは、ともに一体的に押し出し成形もしくは型成形される、またはパネルのうち少なくとも２つおよびこれらの間に配置されるヒンジのがともに一体的に押し出し成形または型成形される。代替的な実施形態において、ヒンジは、たとえば可撓性形状または膜などの可撓性ヒンジであり、２つの厚い端部を含み、パネル部品および／またはパネルは、ヒンジの厚い端部が配置され得る溝または割れ目を含む。これによって、所望の幅で容易かつ迅速に接合され得て、製造が簡易かつ安価でもある子供安全ゲートを製造することができる。さらに、パネルは、子供安全ゲートが開かれた場合に互いに内方向に自動的に折り畳まれる。
【００１７】
第２の実施形態において、ヒンジは回転ヒンジであり、ヒンジにおける第２の回転軸を中心に回転することができる２つのヒンジ部品を含み、ヒンジはたとえばトーションばねなどのばねを含む。回転ヒンジは、パネル上部の間および／またはパネル底部の間に配置され、可撓性ヒンジは、パネルの間および／またはパネル部品の間に配置される。これによって、互いを中心に回転する子供安全ゲートを提供することができ、子供安全ゲートが開かれた場合にパネルは互いに自動的に内方向に折り畳まれる。
【００１８】
掴み部品は、ヘッドまたは隆起部を任意で有するピンとして構成され、受け部品は、ピンが配置され得る第２の溝または窪み部として構成される。掴み部品は、ピンとして構成され、受け部品は、ピンが配置され得るピン穴として構成され、ピンおよびピン穴は、パネル部品の内側において互いに対向して配置される。これによって、個別のパネル部品を容易かつ簡易な方法で接合させることができる。
【００１９】
特別な実施形態において、取付具は、開口部に取り付けることが意図される壁部品と、第１の端パネルと接続されるパネル部品とを含み、パネル部品は壁部品を中心に回転することができる。壁部品は、２つの第１の端部材と接続される第１の中央部材を含み、第１の中央部材は、パネル部品が配置され得るたとえば筒部などの第３の溝を含む。パネル部品は、２つの第２の端部材と接続される第２の中央部材を含み、第２の中央部材および２つの第２の端部材は筒状である。これによって、子供安全ゲートが開閉された場合に子供およびペットの指／足が結合具に挟まる危険性を著しく減少させる結合具を提供することができる。
【００２０】
第２の中央部材は、壁部品の外方に面する２つの平行な側部を含み、２つの第２の端部材の各々は、第２の中央部材の２つの平行な側部の延長上に配置されるＵ字形状の側部を含み、これらの側部の間に第１の端パネルが配置され得る。第１の端パネルは、ガイド配置を含むパネル上部および／またはパネル底部に接続され、これによって第１の端パネルはパネル部品の内外に移動し得て、２つの第２の端部材は、ガイド配置を所与の位置に保持することができる係止機構を含む。これによって、斜めの／傾斜した開口部に適した結合具を提供することができ、結合具に対する端パネルの位置は個別に上部および底部において調整され得て、正しい取り付けが実現される。また、子供および／またはペットの指／足が端パネルと結合具との間に挟まり得ないように保証することができる。
【００２１】
特別な実施形態において、閉止装置は、子供安全ゲートが閉じられた場合に第２の端パネルを壁部品に対して保持することが意図される安全機構または係止装置を含み、安全機構または係止装置は、子供安全ゲートを開くために作動しなければならない解除装置を含む。閉止装置は、子供安全ゲートが閉じられた場合に第２の端パネルが配置され得る長形の窪み部を有するハウジングを含む。これによって、子供および／またはペットの指／足が端パネルと閉止装置との間に挟まり得ない閉止装置を提供することができる。
【００２２】
図面
本発明の例示的な実施形態は、図面を参照して以下でより十分に説明される。
【図面の簡単な説明】
【００２３】
【図１】閉かれた位置にある子供安全ゲートの第１の実施形態を示す図である。
【図２】開かれた位置にある図１の実施形態を示す図である。
【図３】パネルの第２の実施形態を示す図である。
【図４】互いに内方向に折り畳まれた複数のパネルを示す図である。
【図５】パネルと接続された回転ヒンジを示す図である。
【図６】パネルと接続された可撓性ヒンジを示す図である。
【図７】パネルの第３の実施形態を示す図である。
【図８】パネルの第４の実施形態を示す図である。
【図９】延長パネルを示す分解図である。
【図１０】子供安全ゲートの第２の実施形態を示す図である。
【図１１】子供安全ゲートの第３の実施形態を示す図である。
【図１２ａ】調整可能な端パネルを有する結合具を分解した状態を示す図である。
【図１２ｂ】調整可能な端パネルを有する結合具を組み立てた状態を示す図である。
【図１３】閉止装置の例示的な実施形態を示す図である。
【図１４】子供安全ゲートの第４の実施形態を示す分解図である。
【図１５ａ】図１４に示される子供安全ゲートにおいて使用されるクリップを示す図である。
【図１５ｂ】図１４に示される子供安全ゲートにおいて使用される上部部品を示す図である。
【図１６】図１４に示される子供安全ゲートが組み立てられて開かれた位置にある状態を示す図である。
【発明を実施するための形態】
【００２４】
例示的な実施形態についての説明
図１は、ドアフレームに取り付けられて閉じられた位置にある本発明の第１の実施形態を示す図である。図２は、開かれた位置にある図１に示される本発明を示す図である。発明は、相互に関係し、ドア開口部、階段開口部、廊下もしくは通路、または入口などの開口部に取り付けられ得る１つ以上のパネル１，２，３，４を有する、子供安全ゲートを含む。少なくとも１つのヒンジ５は、パネル１，２，３，４の各々の間に配置され得て、ヒンジは、ヒンジの両側のパネルに接続され得て、これによってパネル１，２，３，４が互いに相対的に移動し得る。子供安全ゲートは、図１に示されるように、ゲートのそれぞれの側部に配置される２つの端パネル３，４と、複数の中間パネル１，２とを含む。端パネル３は、壁またはフレームなどの開口部に固定され得る少なくとも１つの結合具１０と接続され得る。端パネル４は、少なくとも１つの閉止装置１２，１３および任意のハンドル１１に接続され得る。これによって、ゲートが開かれた場合にとられるスペースが最小限となる子供安全ゲートを提供することができる。また、子供安全ゲートは、すそ板やベースシューなどに関係なく開口部またはその付近に取り付けられ得るゲートを提供する。
【００２５】
パネル１，２，３，４は、中実もしくは中空の構造を有し、四角形、楕円形、もしくは円形、または任意の他の多角形もしくは丸形の断面を有し得る。第２の実施形態において、パネル構造は、図３に示されるように、摩擦、またはねじ、ボルト、もしくは糊などの締結具によって互いに固定され得る２つ以上のパネル部品６，７を含み得る。パネル部品６，７は、たとえばそれぞれのパネル部品の内側において互いに対向して配置される１つ以上の雄部品および／または１つ以上の雌部品を含み得る。雄部品および雌部品は、ピンとピン穴とをそれぞれ含むピン接合部として構成され得る。ピン接合部は、ヘッドもしくは隆起部と対応する窪み部もしくは溝とを含み得て、雄部品と雌部品とが合わせてスナップ接続される。個別のパネル１，２，３，４およびパネル部品６，７の幅および／または高さは異なり得て、これによって子供安全ゲートにおけるパネルの数を開口部の寸法に適合させることができる。
【００２６】
パネル上部８および／またはパネル底部９は、図１から図２に示されるように、パネル１，２，３，４の各々と接続され得る。パネル上部８および／またはパネル底部９は、パネル１，２，３，４の端部またはパネル部品６，７の間に配置され、摩擦もしくは締結具によってパネル１，２，３，４またはパネル部品６，７に対して固定または保持され得るプラグとして構成され得る。代替的に、パネル上部８および／またはパネル底部９は、溝または窪み部（図示せず）を含み得て、パネル１，２，３，４またはパネル部品６，７は、この溝または窪み部に配置および固定される、または摩擦もしくは締結具によってパネル上部８および／またはパネル底部９に保持され得る。パネル上部８および／またはパネル底部９は、パネル１，２，３，４もしくはパネル部品６，７の端部に組み込まれ得る、またはパネル１，２，３，４自体もしくはパネル部品６，７自体の一部を形成し得る。これによって、外部からの強打および衝撃に対してパネルの端部を補強および保護することができる。
【００２７】
パネル１，２，３，４は、プラスチック、工業プラスチック、木、金属、または他の適切な材料からなり得る。パネル上部８およびパネル底部９は、パネル自体と同じ材料または他の適切な材料からなり得る。パネル１，２，３，４、パネル上部８、パネル底部９、および／またはハンドル１１は、押出し加工または型成形（プラスチック型成形、射出成形、もしくはフルモールドを含む）によって作られ得る。特別な実施形態において、パネル１，２，３，４、パネル上部８、パネル底部９、および／またはハンドル１１は、１つの同じ処理によって押出し加工または型成形され、１つの完全なパネルもしくは１つの完全なパネル部品が構成される。
【００２８】
パネル１，２，３，４、パネル上部８、および／またはパネル底部９は、透明、半透明、または不透明な材料からなり得る。パネル１，２，３，４のうち少なくとも１つは、様々な色、絵、模様、記号、文字などによって装飾され得る。これらの装飾は、パネルの表面のうちの少なくとも１つ、および／またはパネルの表面の領域のうち少なくとも１つに対してエンボス加工され得る。代替的に、パネル１，２，３，４のうち少なくとも１つは、装飾的に成形され得る少なくとも１つの穴（図示せず）を含み得る。これによって、パネルを装飾することができる、またはパネルを透かして見ることができるようにパネルを構成することができる。
【００２９】
釘、ねじ、糊、テープなどの締結具または他のタイプの締結具によって開口部に固定され得る少なくとも１つの取付具１０によって開口部の一方側に子供用安全バリアが取り付けられ得る。取付具１０は、パネル上部８または端パネル３の上部と接続され得て、他の取付具１０もパネル底部９または端パネル３の底部に接続され得る。代替的に、取付具１０は、長形の結合具として構成され得て、端パネル３が１つ以上の点においてマウント取付１０と接続され得る。取付具１０は、端パネル３が第１の回転軸を中心に一方側または両方側に回転できるように構成され得る。取付具１０は、開口部における堅い表面に取り付けることが意図される壁部品１０ａと、端パネル３、パネル上部８、および／またはパネル底部９に取り付けることが意図されるパネル部品１０ｂとを含む。パネル部品１０ｂは、壁部品１０ａにおけるピンまたは壁部品１０ａをパネル部品１０ｂに接続する別個のピンを中心に壁部品１０ａまわりを回転することができるように構成される。パネル部品１０ｂは、締結具によって端パネル３、パネル上部８、および／またはパネル底部９に固定され得る、または端パネル３、パネル上部８、および／またはパネル底部９に組み込まれ得る。取付具１０は、パネル部品１０ｂがピンに沿って壁部品１０ａ上で上方位置と下方位置との間で縦方向に変位し得るように構成され得る。
【００３０】
端パネル４またはパネル上部８は、ゲートを開閉することを意図した任意のハンドル１１を含み得る。ハンドルは、図１に示されるように、従来のハンドルとして構成され得る。代替的に、ハンドル１１は、パネル上部８またはパネル１，２，３，４の切欠き部または窪み部として構成され得る。これによって、ユーザは、容易に子供安全ゲートを握ってゲートを開閉することができる。
【００３１】
少なくとも１つの閉止装置１２，１３は、開口部の反対側に取り付けられ得る。第１の閉止装置１２は、図１に示されるように、端パネル４の上部またはパネル上部８に接続され得る。第２の閉止装置１３は、図１に示されるように、端パネル４またはパネル底部９に接続され得る。閉止装置１２，１３は、開口部における堅い表面上に取り付けることが意図される壁部品１２ａ，１３ａと、端パネル４、パネル上部８、および／またはパネル底部９に接続されるパネル部品１２ｂ，１３ｂとを含む。パネル部品１２ｂ，１３ｂは、結合具１０におけるパネル部品１０ｂが端パネル３に接続される方法と同じ方法で端プレート４に接続され得る。歯止めなどのパネル部品１２ｂ，１３ｂが溝または窪み部などの壁部品１２，１３ａに接触することによりゲートが閉じられる。これによって、子供および／またはペットが開口部を通過することを防止することができる。
【００３２】
第１の閉止装置１２は、図１から図２に示されるように、ゲートを開く際に作用させるべき安全機構を含み得る。安全機構は、プッシュボタンなどユーザの操作する接触部と接続される１つ以上の勾配面を有する、たとえば歯止めなどの解除装置を含み得る。歯止めは、ゲートが閉じられた場合にパネル部品１２ｂを壁部品１２ａに対して保持するように構成され得る。ゲートは接触部を作動させることによって開かれ、これによって歯止めがパネル部品１２ｂの外方に移動し、次にパネル部品１２ｂが壁部品１２ａの外方に移動し得る。ゲートは、歯止め上の勾配面をわたって壁部品１２ａへパネル部品１２ｂを移動させることによって閉じられる。これによって、子供および／またはペットがゲートを開き得ないように保証することができる。
【００３３】
ヒンジ５は、図１および図１０から図１１に示されるように、パネル上部８、パネル底部９、および／またはパネル１，２，３，４に接続され得る。１つ以上のヒンジ５は、パネル１，２，３，４の縁部の全体に沿って配置され得る。ヒンジ５は、パネル上部８、パネル底部９、および／またはパネル１，２，３，４の縁部の窪み部もしくは割れ目に配置され得て、摩擦またはねじ、ボルトなどの締結具または他のタイプの締結具によって固定され得る。ヒンジ５は、図４に示されるように、パネル １，２，３，４の間において互いに交互に対向して取り付けられ得て、パネルは、ジグザグ形のパターンで互いに内方向に折り畳まれ得る。ヒンジ５は、パネル１，２，３，４の間で同じ方法で取り付けられ得て、螺旋形のパターンで（図示せず）互いに内方向に折り畳まれる。これによって、ゲートが開かれた場合のスペースが最小限となる子供安全ゲートを提供することができる。
【００３４】
第１の実施形態において、ヒンジ５は、図５に示されるように、第２の回転軸を中心に回転することが可能な少なくとも２つのヒンジ部品１４ａ，１４ｂを含む回転ヒンジ１４として構成され得る。ヒンジ部品１４ａ，１４ｂは、ヒンジ部品の一方に配置されるピンまたは両方の部品に接続される別個のピンを介して相互接続され得る。ヒンジ１４は、ヒンジ部品に接続されるトーションばね（図示せず）などの少なくとも１つのばねを含み得て、ヒンジ１４を開閉するためには所定の力を加えなければならず、これによってヒンジ１４が静止位置に戻る。代替的に、ヒンジ１４は、摩擦ヒンジもしくは少なくとも１つの停止機構など、回転角に沿った１つ以上の停止位置においてパネル１，２，３，４を保持することが可能なヒンジとして構成され得る。これによって、自動的に開く、または部分的に開いた位置もしくは部分的に閉じた位置に配置され得る子供安全ゲートを提供することができる。
【００３５】
第２の実施形態において、ヒンジ５は、可撓形状または可撓膜で作られた可撓性ヒンジ１５として構成され得て、ヒンジ５は、湾曲している、Ｕ字形状となっている、または真っ直ぐであり、図３および図６に示されるように、端部は、ヒンジ１５の残りの部分よりも厚く作られ得る、またはヘッドを含み得る。可撓性ヒンジ１５の端部は、図６に示されるように、パネル１，２，３，４の縁部において、溝などの窪み部に配置され得る。ヒンジ１５は、ヒンジ１５の形状に組み込まれた少なくとも１つのばねを含み得る。ゲートが閉じられると、可撓性ヒンジ１５に負荷がかかり、ゲートが開かれると、ヒンジのばね効果によってヒンジ１５が静止位置に戻る。これによって、自動的に開く子供安全ゲートを提供することができる。
【００３６】
図７は、第３の実施形態を示す断面図であり、ヒンジ５は、パネル１，２，３，４に組み込まれ得る。ヒンジ５は、第１のヒンジ部品１６ａと第１の部品１６ａを中心に回転可能な第２のヒンジ部品１６ｂとを含む回転ヒンジ１６として構成され得る。ヒンジ部品１６ａ，１６ｂは、それぞれのパネル１，２，３，４と接続され得る。図７は、中間パネル１，２のそれぞれの端部と接続されたヒンジ部品１６ａ，１６ｂを示す図である。第２のヒンジ部品１６ｂは、外表面１７と任意の内表面１８とを含む中実もしくは中空の球として構成され得る。代替的に、第２のヒンジ部品１６ｂは、中空もしくは中実の筒として構成され得る。第１のヒンジ部品１６ａは、球もしくは筒部１９として構成され得て、第２のヒンジ部品１６ｂと一致し得る。ヒンジ部品１６ａ，１６ｂは、第１のヒンジ部品１６ａが第２のヒンジ部品１６ｂにおける中心軸を中心に外表面１７および／または内表面１８に沿って回転できるように相互接続され得る。第２のヒンジ部品１６ｂは、たとえばピンなどの第１のヒンジ部品１６ａが移動し得るスロット、割れ目、もしくは溝などの長形の開口部（図示せず）を含み得る。第１のヒンジ部品１６ａは、少なくとも１つのスペーサを介して接続される２つの球部／筒部（図示せず）、または１つの球部／筒部および１つの球／筒を含み得て、間に第２のヒンジ部品１６ｂが配置され得る。これにより、ヒンジがパネルの一部を形成する子供安全ゲートを提供することができる。
【００３７】
回転ヒンジ１４，１６は、工業プラスチック、またはアルミニウム、銅、鋼、鉄、青銅、亜鉛などの金属、または他の適切な材料からなり得る。回転ヒンジ１４，１６は、パネル１，２，３，４と同じ材料に組み込まれ得る、または囲まれ得る。可撓性ヒンジ１５は、工業プラスチック、ゴム、ＥＰＤＭ、または他の適切な材料からなり得る。ヒンジ１５，１６は、パネル１，２，３，４と同じ材料からなり得る。
【００３８】
図８は、第４の実施形態を示す断面図であり、ヒンジ５は、パネル１，２，３，４に組み込まれ得る。パネル１，２は、少なくとも１つの可撓性ヒンジ１５を介して相互接続され得る２つ以上のパネル部品２０，２１を含み得る。代替的に、回転ヒンジ１４，１６は、代わりにパネル部品２０，２１と接続され得る。ヒンジ１５の端部またはヒンジ部品１４ａ，１４ｂ，１６ａ，１６ｂは、パネル部品２０，２１に組み込まれ得る。ヒンジの反対側の縁部において、一方のパネル部品２０は、たとえばピン２２などの掴み部品を含み得て、掴み部は、円形、三角形、四角形、もしくは他の多角形状を自由端に有するヘッド２２ａを含み得る。ヒンジの反対側の縁部において、他方のパネル部品２１は、ピン２とヘッド２２ａとが配置され得る、たとえば溝２３などの受け部品を含み得る。図９に示されるように、ピン２２および溝２３は、パネル部品２０，２１の縁部の全体に沿って配置され得て、長手ピンおよび長手溝が形成される。代替的に、２つ以上のピン２２および溝２３は、縁部に沿って互いの延長上に配置され、少なくとも一端または両端において、溝２３は、溝よりも幅が広く、パネル部品２０，２１が接合される前にピン２２が配置される窪み部を含み得る。パネル部品２０，２１は、ピン２２を溝２３に置き、次にパネル部品２０，２１が互いに対向するように配置されるまでピン２２を溝２３に沿って長手方向において上方に変位させることによって接合される。端パネル３，４は、パネル１，２と同じ構成を有し得て、図６に示されるように、パネル部品２０，２１のうちの一方がピン２２または溝２３の代わりに終縁部を含み得る。代替的に、端パネル３，４は、パネル２０，２１と同じ構成を有し得て、図６に示されるように、ヒンジに接続される代わりに、平坦もしくは円形であり得る終縁部を含む。端パネル３，４は、パネル部品２０，２１のうちの一方と同じ幅を有し得る、または互いに合わせられたパネル２０，２１と同じ幅を有し得る。取付具１０および閉止装置１２，１３は、端パネル３，４上の終縁部と接続され得る。これによって、容易かつ迅速に接合され得る子供安全ゲートを提供することができる。
【００３９】
パネル部品２０，２１およびヒンジ１５は、同じ押出し加工処理または型成形処理で作られ得て、これによって子供安全ゲートの接合を簡易にすることができる。特別な実施形態において、パネル１，２，３，４およびヒンジ１５は、１つの同じ押出し加工処理または型成形処理によって作られ得て、これによって子供安全ゲートは１つの完全なゲートとなる。また、製造工程において、パネル１，２，３，４およびパネル部品２０，２１の幅を変え、これによってヒンジ５の数を変えることができる。
【００４０】
代替的な実施形態において、パネル部品２０，２１に組み込まれる代わりに、ヒンジ１５は、図６に示されるように、パネル部品の縁部に沿って溝に配置され得る。パネル部品２０，２１における溝およびヒンジ１５の端部は、ピン２２および溝２３と異なる形状または同じ形状を有し得る。これによって、ヒンジ１５およびパネル部品２０，２１は、同じ方法で接合され得る。さらに、必要な場合には、ヒンジまたは一方のパネル部品を交換することができる。
【００４１】
パネル部品２０，２１は、回転ヒンジ１４を介して互いに接続され得るそれぞれのパネル上部８および／またはパネル底部９と接続され得る。ヒンジ部品１４ａ，１４ｂは、図１および図１０に示されるように、それぞれのパネル上部８および／またはパネル底部９に固定され得る、または組み込まれ得る。これによって、パネル部品２０，２１は、ヒンジ１４，１５を中心に回転し得る。
【００４２】
図９は、パネル部品２０，２１の間および／または端パネル３，４の間に配置され得る延長パネル２４を示す分解図である。延長パネル２４は、図９に示されるように、パネル部品２０，２１と同じ形状を有し得て、それぞれの縁部に配置されるピンと溝とを含み得る。延長パネル２４のピンおよび溝は、パネル部品２０，２１のピン２２（ヘッド２２ａを伴う）および溝２３と同じ形状を有し得る。延長パネル２４は、パネル部品２０，２１と同じ幅を有し得る、またはパネル部品２０，２１よりも大きいもしくは小さい幅を有し得る。延長パネル２４は、パネル部品２０，２１が接合される方法と同じ方法でパネル部品２０，２１と接続され得る。これによって、１つ以上の延長パネル２４を導入することで、１つ以上のパネル１，２，３，４の幅を子供安全ゲートの全体に適合させることができる。特別な実施形態（図示せず）において、ヒンジ５は省略され得て、複数の延長パネル２４および任意のパネル部品２０，２１ならびに端パネル３，４が互いに接続され、合わせて完全で堅固な子供安全ゲートが形成される。これによって、所望の幅で容易かつ迅速に接合され、簡易かつ安価に製造される子供安全ゲートを製造することができる。
【００４３】
パネル底部２５および／またはパネル上部２６は、延長パネル２４と接続され得る。パネル底部２５および／またはパネル上部２６は、摩擦、またはねじ、ボルト、のりなどの締結具、または他の締結具（図示せず）によって延長パネル２４と接続され得る。パネル底部２５およびパネル上部２６は、パネル底部８およびパネル上部９と同じ形状を有し得る、またはパネル底部８，２５はパネル上部９，２６と同じ形状を有し得る。
【００４４】
好ましい実施形態において、図９に示されるように、パネル底部８，２５および／またはパネル上部９，２６は、パネル２４の延長上に配置される挿入部品２５ａ，２６ａと、挿入部品の側に配置され得る受け部品２５ｂ，２６ｂとを含み得て、開口部はピン２２または溝２３（挿入部品の反対側）に面し得る。挿入部品２５ａ，２６ａは、他のパネル２４に配置される他の受け部品２５ｂ，２６ｂと係合するように構成され得て、その逆も同様である。受け部品２５ｂ，２６ｂは、図９に示されるように、パネル２４のそれぞれの側部に配置され得る。挿入部品２５ａ，２６ａおよび受け部品２５ｂ，２６ｂは、それぞれピン配置およびピン穴配置として構成され得る。パネル底部２５およびパネル上部２６は、図９に示されるように、延長パネル２４においてピン２２および溝２３の延長上に配置されるピン２２′および溝２３′を有し得て、パネルが接合された場合に挿入部品２６ａを受け部品２６ｂ内にガイドすることが意図される。これによって、パネル部品２０，２１，２４が接合された場合にパネル底部およびパネル上部は１つの完全なユニットとなる。また、１つ以上の延長パネル２４が挿入された場合、パネル上部およびパネル底部の幅をパネル１，２，３，４の幅に適合させることができる。 
【００４５】
パネル底部２５および／またはパネル上部２６上の挿入部品２５ａ，２６ａは、たとえば穴などの受け部品２５ｂ，２６ｂと係合することが意図される係止装置２７を含み得る。係止装置２７は、パネルが分離される前に作動する解除機構を含み得る。これによって、パネル１，２，３，４，２４は、子供安全ゲートが使用された場合に互いに保持され得る。
【００４６】
子供安全ゲートは、片手で操作され得て、これによってゲートが容易かつ迅速に開閉され得る。ゲートは、ハンドル１１を握り、端パネル４および中間パネル１，２を閉止装置１２，１３に向けて引くことによって閉じられる。そして、ゲートは、任意で少し上方に持ち上げられ、図１に示されるように、パネル部品１２ｂ，１３ｂが壁部品１２ａ，１３ａに接触する。ゲートは、ハンドル１１を握り、１本の指で安全機構上の接触部を作動させることによって開かれる。そして、ゲートは、任意で少し上方に持ち上げられ、壁部品１２ａ，１３ａからパネル部品１２ｂ，１３ｂが分離され、次に端パネル４が結合具１０に向けて移動され、これによってパネル１，２，３，４が互いに内方向に折り畳まれる。代替的に、ゲートが開かれた後にハンドル１１が解除され、これによってヒンジ１４，１５におけるばね力で自動的にパネル１，２，３，４が折り畳まれる。
【００４７】
締め機構（図示せず）がパネル１，２，３，４の内側またはパネル上部８および／またはパネル底部９内に配置され得て、ゲートが閉じられた場合にパネルを締めることができ、これによってパネル１，２，３，４が比較的真っ直ぐな線を形成する。これによって、子供および／またはペットが開口部を通過することを防止すること、およびパネル間に指および／または足が挟まることを防止することができる。
【００４８】
端パネル３，４の間および／または中間パネル１，２の間の距離は、パネル上部８、パネル底部９および／またはヒンジ１４，１５，１６によって定められ得る。図１０は、子供安全ゲートの第２の実施形態を示し、パネル１，２，３，４が１つ以上の可撓性ヒンジ１５を介して相互接続される。ヒンジ１５は、パネル１，２，３，４間のスペースを満たし、これによって子供および／またはペットの指および／または足がパネル間に挟まり得なくなる。パネル１，２，３，４は、側部間の中央に１つ以上の領域１ａ，２ａ，３ａ，４ａを含み得て、領域は凹面および凸面の表面を有し得て、長形、円形、四角形、または他の形状を有し得る。図１１は、子供安全ゲートの第３の実施形態を示し、パネル上部８およびパネル底部９は複数の回転ヒンジ１４を介して相互接続され、パネル１，２，３，４は互いに適切な距離で配置され、これによって子供および／またはペットが指および／または足をパネルに挟む危険性が最小化される。
【００４９】
図１２ａは、パネル１，２，４に接続され得る調整可能な取付具２８を示す分解図である。取付具２８は、パネル部品３０と接続される長形の壁部品２９を含み、パネル部品３０は、壁部品２９において回転軸を中心に回転することができる。壁部品２９は、中央部材２９ａを含み得て、中央部材２９ａは、中央部材から垂直に延在する２つの端部材と接続される。パネル部品３０は、壁部品２９の端部材の間に配置され得て、たとえば壁部品２９およびパネル部品３０に配置されるピンおよび窪み部を介して端部材に対して回転可能に接続され得て、その逆もまた同じである。パネル部品３０は、ピン／窪み部が配置され得る２つの端部材３０ｂ，３０ｃと接続される中央部材３０ａを含み得る。中央部材３０ａは、中空または中実の筒として構成され得て、パネル１，２，３，４と同じ長さを有し得る。中央部材２９ａは、筒が配置されるたとえば筒部などの溝を含み得る。これによって、子供安全ゲートが開閉された場合に子供および／またはペットの指／足が結合具に挟まれる危険性が大幅に低下する結合具を提供することができる。
【００５０】
壁部品２９の外方に面する２つの平行な側部は、図１２ａに示されるように、筒の外側に配置され得る。端部材３０ｂ，３０ｃは、それぞれ上部部材および底部部材として構成され得て、中央部材３０ａと同じ形状を有し得る。Ｕ字形状の側部は、図１２ａに示されるように、中央部材３０ａの平行な側部の延長上において端部材３０ｂ，３０ｃの外側に配置され得て、図１２ｂに示されるように、平行な側部はＵ字形状の側部と併せて非限定のチャネルを形成し、このチャネルに調整可能な端パネル３１が配置され得て、一部が隠され得る。端パネル３１は、パネル部品２０，２１、延長パネル２４、または端パネル３と同じ形状を有し得る。端パネル３１は、端パネル３、延長パネル２４、またはパネル部品２０，２１と同じ幅を有し得る。パネル上部３２および／またはパネル底部３３は、摩擦、またはねじ、ボルト、内歯付き部材、接着剤などの締結具、または他の締結具によって端パネル３１に接続され得る。図１２ａおよび図１２ｂに見られるように、一方の端部において、パネル３２および／またはパネル底部３３は、ガイド配置３４を含み得て、ガイド配置３４は、パネル部品３０に面し、端部材３０ｂ，３０ｃと係合することができる。端部材３０ｂ，３０ｃは、たとえばねじ、ボルト、または歯付き部材などの係止機構を含み得て、係止機構は、ガイド配置３４および端パネル３１を所定の位置（矢印で示される）に保持することができる。これによって、斜めの／傾斜した開口部に適した取付具を提供することができ、取付具に対する端パネルの位置が上部および底部において個別に調整され得て、正しい取り付けが実現される。また、端パネルと結合具との間に子供および／またはペットの指／足が挟まることを防止することができる。
【００５１】
パネル部品３０の外方に面した縁部において、端パネル３１は、ピン２２または溝２３と同じ形状を有するピンまたは溝を含み得る。ガイド配置３４の反対側の端部において、パネル上部３２および／またはパネル底部３３は、挿入部品２５ａ，２６ａと同じ形状を有し得る、またはガイド配置３４の外方に面して受け部品２５ｂ，２６ｂと同じ形状を有し得る受け部品を含み得る。端パネル３１の挿入部品は、同様に係止装置２７を含み得る。これによって、パネル部品２０，２１と同じ方法で端パネル３１をパネル１，２，４，２４に接続することができる。
【００５２】
図１３は、端パネル４に接続され得る閉止装置３５の例示的な実施形態を示す。閉止装置３５は、周囲のハウジング３６に接続される壁部品（図示せず）を含む長形の結合具として構成され得る。ハウジング３６は、摩擦、またはねじ、ボルト、糊などの締結具、または他の締結具によって壁部品に接続され得る。ハウジング３６は、端パネル４が配置および固定され得る長形の窪み部３７を含む。係止配置は、ハウジングの内側に配置され得て、子供安全ゲートが閉じられた場合にハウジング３６内において端パネル４を保持することが意図される。係止配置は、ユーザによって動作され得て、次に端パネル４がハウジング３６から取り外され得て、子供安全ゲートが開かれる解除装置を含み得る。これによって、子供および／またはペットの指／足が端パネルと閉止装置との間に挟まれ得ない閉止装置を提供することができる。 
【００５３】
好ましい実施形態において、ユーザによって機械的に解除される機械的係止配置がハウジング３６内に配置され得る。図１３に示されるように、２つ以上の掴み要素３８が、たとえば窪み部３７であるハウジング３６の開口に配置され得て、たとえば窪み部または隆起部である端パネル４を掴むことが意図される。掴み要素３８は、負荷のかかっていない状態において互いに掴み要素を押す、たとえばトーションばね（図示せず）などのばねを介して相互接続され得る。解除部３９は、スペーサ（図示せず）を介して掴み要素３８に接続され得て、スペーサは、解除部３９が動作した場合、たとえば掴み要素３８に向けて移動した場合に掴み要素３８を互いの外方に押す。そして、端パネル４は、ハウジング３６から取り外され得る。子供安全ゲートは、解除部３９を動作させて解除部３９を解除しながら端パネル４をハウジング内に移動させることによって、または端パネル４をハウジング３６内に直接移動させて掴み要素３８が自動的に端パネル４を掴むことによって閉じられる。
【００５４】
図１４は、子供安全ゲートの第４の実施形態を示す分解図である。図１６は、図１４に示される子供用ゲートを組み立てて開いた位置にある状態を示す図であり、パネルは互いに内方向に折り畳まれている。パネル１，２，３，４は、２つ以上のヒンジ５によって相互接続され得て、ヒンジ５は、長手方向においてパネルの縁部に接続され得る。ヒンジ５は、図１４に示されるように、複数の回転ヒンジ４０として構成され得て、ヒンジ４０は、それぞれのパネルに接続される複数のヒンジ部品４０ａ，４０ｂを含み得て、パネルは、ヒンジ部品４０ａ，４０ｂの一方に配置されるピンを中心に回転することができる。ヒンジ部品４０ａ，４０ｂは、パネル１，２，３，４に組み込まれ得る。一方の端部において、ヒンジ部品４０ｂは、第１の切欠き部を含み得て、第１の切欠き部は、他方のヒンジ部品４０ａのピンと同じ形状を有し得て、これによってヒンジ部品４０ａはヒンジ部品４０ｂ内に切欠き部を介して移動することができる。反対側の端部において、２つ以上のヒンジ部品４０ｂ′は第２の切欠き部を含み得て、第２の切欠き部は、クリップ４１の両端に配置されるピンと同じ形状を有し得る。 
【００５５】
ヒンジ４０の反対側において、端パネル３は、１つ以上のパネル部品４２ｂを含み得て、パネル部品４２ｂは、結合具４３上の１つ以上の壁部品４２ａに配置される少なくとも１つのピンを中心に回転することができる。ヒンジ４０の反対側において、端パネル４は、少なくとも１つのパネル部品１２ｂ，１３ｂを含み得て、パネル部品１２ｂ，１３ｂは、結合具４４上の少なくとも１つの壁部品１２ａ，１３ａに接触し得る。パネル部品１２ｂ，１３ｂおよび／または壁部品１２ａ，１３ａは、端パネル３，４に組み込まれ得る。
【００５６】
図１５ｂに示されるクリップ４１は、２つの半片を含み得て、これらは一方端においてヒンジ部品４０ａおよびヒンジ部品４０ｂとそれぞれ同じ形状を有し得て、これによって２つの半片は互いを中心に回転し得る。他端はプレート４５と同じ形状を有し得て、パネル１，２，３，４上において割れ目４６内に移動する。クリップ４１は、締結具またはスナップシステムによってパネル１，２，３，４に固定され得る。クリップ４１は、両方の半片に対して接続されるばね（図示せず）を含み、負荷のかかっていない状態で半片を互いに対して押す。これによって、パネルを互いに保持することができ、指および／または足がパネル間に挟まれる危険性が最小限となる。同様に、クリップに配置されるばねは、パネルが自動的に折り畳まれることを確実とする。
【００５７】
上部４７は、図１５ａに示されるように、端パネル３が結合具４３に取り付けられた後に壁部品４２ａに配置され得る。上部４７の底部は、壁部品４２ａにおいてピンの最上部品をわたって移動する窪み部を含み得る。上部４７は、締結具によって、または任意のばねに接続され得るたとえば可動歯止めなどのスナップシステムによって結合具４３に固定され得る。これによって、端パネルが通常の使用状態において結合具から外れることを防止することができる。 
【００５８】
言及された代替的な実施形態の各々は、好ましい実施形態と組み合わされ得る。
【図１】
2015504120.tif 000003
【図２】
2015504120.tif 000004
【図３】
2015504120.tif 000005
【図４】
2015504120.tif 000006
【図５】
2015504120.tif 000007
【図６】
2015504120.tif 000008
【図７】
2015504120.tif 000009
【図８】
2015504120.tif 000010
【図９】
2015504120.tif 000011
【図１０】
2015504120.tif 000012
【図１１】
2015504120.tif 000013
【図１２ａ】
2015504120.tif 000014
【図１２ｂ】
2015504120.tif 000015
【図１３】
2015504120.tif 000016
【図１４】
2015504120.tif 000017
【図１５ａ】
2015504120.tif 000018
【図１５ｂ】
2015504120.tif 000019
【図１６】
2015504120.tif 000020
【手続補正書】
【提出日】平成25年9月17日(2013.9.17)
【手続補正１】
【補正対象書類名】特許請求の範囲
【補正対象項目名】全文
【補正方法】変更
【補正の内容】
【特許請求の範囲】
【請求項１】
ドア開口部または階段開口部などの開口部に取り付けることが意図される子供安全ゲートであって、互いに接続され得る２つ以上のパネルと、前記開口部の一方側に取り付けることが意図される取付具と、前記開口部の反対側に取り付けることが意図される閉止装置とを備え、前記パネルのうち少なくとも１つは前記取付具における第１の回転軸を中心に回転することができ、前記パネルのうち少なくとも２つは、他方のパネルに配置される受け部品と係合することが意図される一方のパネルに掴み部品を介して互いに接続され得て、前記パネルのうち少なくとも１つは、２つのパネル部品を含み、前記掴み部品は一方のパネル部品上に配置され、前記受け部品は前記他方のパネル部品上に配置され、２つのパネル部品は互いに分離され、その後に合わせられ得る、子供安全ゲート。 
【請求項２】
前記２つのパネル部品は、堅固な接合部と接合される、または互いに相対的に移動し得るようにヒンジ（５）と接合される、請求項１に記載の子供安全ゲート。
【請求項３】
前記子供安全ゲートは、１つ以上の延長パネルをさらに備え、前記延長パネルは、前記パネル部品の間および／または前記端パネルの間に配置され得る、請求項１または２に記載の子供安全ゲート。
【請求項４】
掴み部品および受け部品は、パネルの縁部の全体に沿って延在する１つ以上のヒンジによって形成される、請求項１に記載の子供安全ゲート。 
【請求項５】
子供安全ゲートは、前記取付具に接続され得る第１の端パネルと、前記閉止装置に接続され得る第２の端パネルとをさらに備え、前記少なくとも１つのパネル部品は、前記取付具または前記閉止装置に面し得る終縁部を含む端パネルである、請求項１から４のいずれか１項に記載の子供安全ゲート。
【請求項６】
前記掴み部品および前記受け部品は、前記パネルおよび１つ以上の延長パネルが互いに挿入され得ることによって、前記掴み部品および前記受け部品が前記パネルの長手方向に互いに挿入され得るように構成される、請求項１から５のいずれか１項に記載の子供安全ゲート。
【請求項７】
前記子供安全ゲートは、取付具と接続され得る第１の端パネルと、閉止装置と接続され得る第２の端パネルとをさらに備え、互いに接続され得る複数の延長パネルが端パネルの間に配置され得る、請求項５に記載の子供安全ゲート。 
【請求項８】
前記パネルの少なくとも１つは、パネル上部および／またはパネル底部を含む、またはパネル上部および／またはパネル底部に接続され得る、請求項１から７のいずれか１項に記載の子供安全ゲート。 
【請求項９】
前記パネル上部および／または前記パネル底部は、他のパネル上部および／または前記パネル底部に配置される受け部品に係合することが意図される挿入部品を含む、請求項８に記載の子供安全ゲート。 
【請求項１０】
前記挿入部品は、前記パネル部品または前記パネルの延長上に配置され得て、前記受け部品は、前記挿入部品の側部に配置され得て、前記挿入部品は、前記パネル部品または前記パネルの外方に面し得て、その一方で前記受け部品の前記開口部は前記パネル部品または前記パネルに面し得る、請求項９に記載の子供安全ゲート。 
【請求項１１】
前記挿入部品は、前記受け部品と係合することが可能な係止装置を含み、前記係止装置は解除機構を含む、請求項９または１０に記載の子供安全ゲート。
【請求項１２】
前記ヒンジは可撓性ヒンジであり、たとえば可撓性形状または膜であり、前記パネル部品および／または前記パネルにおいて押出し加工される、または組み込まれる、請求項１から１１のいずれか１項に記載の子供安全ゲート。 
【請求項１３】
前記パネル部品およびこれらの間に配置される前記ヒンジは、一体的に押出し加工または型成形される、または前記パネルのうち少なくとも２つおよびこれらの間に配置される前記ヒンジは、一体的に押出し加工または型成形される、請求項１２に記載の子供安全ゲート。 
【請求項１４】
前記ヒンジは、可撓性ヒンジ、たとえば可撓性形状または膜であって、２つの厚い端部を含み、前記パネル部品および／または前記パネルは、前記ヒンジの前記厚い端部が配置され得る溝または割れ目を含む、請求項１から１１のいずれか１項に記載の子供安全ゲート。
【請求項１５】
前記ヒンジは、前記ヒンジにおける第２の回転軸を中心に回転することが可能な２つのヒンジ部品を含む回転ヒンジであって、前記ヒンジは、たとえばトーションばねであるばねを含む、請求項１から１４のいずれか１項に記載の子供安全ゲート。
【請求項１６】
回転ヒンジは前記パネル上部の間および／または前記パネル底部の間に配置され、可撓性ヒンジ（１５）が前記パネルの間および／または前記パネル部品の間に配置され得る、請求項１２から１４のいずれか１項に記載の子供安全ゲート。
【請求項１７】
前記掴み部品は、任意でヘッドまたは窪み部を有するピンとして構成され、前記受け部品は前記ピンが配置され得る第２の溝または窪み部として構成される、請求項１から１６のいずれか１項に記載の子供安全ゲート。
【請求項１８】
前記掴み部品はピンとして構成され、前記受け部品は前記ピンが配置され得るピン穴として構成され、前記ピンおよび前記ピン穴は、前記パネル部品の内側において互いに対向して配置される、請求項１から１７のいずれか１項に記載の子供安全ゲート。
【請求項１９】
前記取付具は、前記開口部に取り付けることが意図される壁部品と、前記第１の端パネルに接続されるパネル部品とを含み、前記パネル部品は前記壁部品を中心に回転することができる、請求項１から１８のいずれか１項に記載の子供安全ゲート。
【請求項２０】
前記壁部品は、２つの第１の端部材と接続される第１の中央部材を含み、前記第１の中央部材は、前記パネル部品が配置され得る第３の溝、たとえば筒部を含む、請求項１９に記載の子供安全ゲート。
【請求項２１】
前記パネル部品は、２つの第２の端部材に接続される第２の中央部材を含み、前記第２の中央部材および前記２つの第２の端部材は筒状である、請求項２０に記載の子供安全ゲート。
【請求項２２】
前記第２の中央部材は、前記壁部品の外方に面する２つの平行な側部を含み、前記２つの第２の端部材の各々は、前記第２の中央部材上において２つの平行な側部の延長上に配置されるＵ字形状の側部を含み、これらの間に前記第１の端パネルが配置され得る、請求項２１に記載の子供安全ゲート。 
【請求項２３】
前記第１の端パネルは、ガイド配置を含む前記パネル上部および／または前記パネル底部と接続され得て、これによって前記第１の端パネルは前記パネル部品の内外に移動し得て、前記２つの第２の端部材は、前記ガイド配置を所定位置に保持することが可能な係止機構を含む、請求項２２に記載の子供安全ゲート。
【請求項２４】
前記閉止装置は、前記子供安全ゲートが閉じられた場合に前記第２の端パネルを壁部品に保持することが意図される安全機構または係止装置を含み、前記安全機構または前記係止装置は、前記子供安全ゲートを開くために動作させなければならない解除装置を含む、請求項１から２３のいずれか１項に記載の子供安全ゲート。 
【請求項２５】
前記閉止装置は、前記子供安全ゲートが閉じられた場合に前記第２の端パネルが配置され得る長形の窪み部を有するハウジングを含む、請求項２４に記載の子供安全ゲート。
【国際調査報告】
2015504120.tif 000021
2015504120.tif 000022
2015504120.tif 000023
2015504120.tif 000024
2015504120.tif 000025
2015504120.tif 000026